(57)【特許請求の範囲】
【請求項１】
標本に対してレーザ光を走査して標本から得られる観察光を光検出器で検出し、この光検出器からの出力信号に基づいて２次元画像を形成するレーザ走査型顕微鏡において、
前記標本へ照射するレーザ光の波長及び前記光検出器で検出する観察光の波長を含み、前記レーザ光の波長と前記光検出器で検出する観察光の波長の少なくとも一方が異なっている走査条件を、同一の光検出器に対して互いに異なる複数の走査条件として入力するための入力画面を表示する手段と、
この入力画面を用いて入力された前記複数の走査条件を一つずつ順次設定してそのたびに走査を行なう制御手段と、
個々の走査条件において得られた前記同一の光検出器からのデータを各走査条件に対応する互いに独立した複数の画像として形成する画像形成手段と、
を有することを特徴とするレーザ走査型顕微鏡システム。
【請求項２】
前記走査条件は、前記光検出器における検出動作の設定条件を含むことを特徴とする請求項１記載のレーザ走査型顕微鏡システム。
【請求項３】
前記検出動作の設定条件は、前記光検出器の感度の設定であることを特徴とする請求項２記載のレーザ走査型顕微鏡システム。
【請求項４】
前記入力画面は、前記走査条件として照射するレーザ光の波長及び検出する観察光の波長を決定する光学素子の切換状態を入力可能であることを特徴とする請求項１乃至３のいずれかに記載のレーザ走査型顕微鏡システム。
【請求項５】
前記光検出器を複数個有することを特徴とする請求項１乃至４のいずれかに記載のレーザ走査型顕微鏡システム。
【請求項６】
前記入力画面から入力される走査条件は、前記光検出器の数以上設定可能としたことを特徴とする請求項１乃至５のいずれかに記載のレーザ走査型顕微鏡システム。
【請求項７】
蛍光試薬名に対応して前記走査条件を記憶した記憶手段をさらに備え、前記入力画面において使用する蛍光試薬を入力すると、前記制御手段は、入力された蛍光試薬に対応する走査条件を前記記憶手段から読み出して設定することを特徴とする請求項１乃至６のいずれかに記載のレーザ走査型顕微鏡システム。
【請求項８】
標本に対してレーザ光を走査して標本から得られる観察光を光検出器で検出し、この光検出器からの出力信号に基づいて２次元画像を形成するレーザ走査型顕微鏡システムの制御方法であって、
前記標本へ照射するレーザ光の波長及び前記光検出器で検出する観察光の波長を含み、前記レーザ光の波長と前記光検出器で検出する観察光の波長の少なくとも一方が異なっている走査条件を、同一の光検出器に対して互いに異なる複数の走査条件として入力するための入力画面を表示するとともに、この入力画面を用いて入力された前記複数の走査条件を一つずつ順次設定してそのたびに走査を行い、個々の走査条件において得られた前記同一の光検出器からのデータを各走査条件に対応する互いに独立した複数の画像として形成することを特徴とするレーザ走査型顕微鏡システム制御方法。
【請求項９】
標本に対してレーザ光を走査して標本から得られる観察光を光検出器で検出し、この光検出器からの出力信号に基づいて２次元画像を形成するレーザ走査型顕微鏡システムの制御をコンピュータに実行させる制御プログラムであって、
前記標本へ照射するレーザ光の波長及び前記光検出器で検出する観察光の波長を含み、前記レーザ光の波長と前記光検出器で検出する観察光の波長の少なくとも一方が異なっている走査条件を、同一の光検出器に対して互いに異なる複数の走査条件として入力するための入力画面を表示させるとともに、この入力画面を用いて入力された前記複数の走査条件を一つずつ順次設定してそのたびに走査を行わせ、個々の走査条件において得られた前記同一の光検出器からのデータを各走査条件に対応する互いに独立した複数の画像として形成することを特徴とするレーザ走査型顕微鏡システムの制御をコンピュータに実行させる制御プログラム。
【発明の詳細な説明】
【０００１】
【発明の属する技術分野】
本発明は、レーザー走査型顕微鏡システム、システム制御方法およびシステム制御をコンピュータに実行させる制御プログラムに関し、詳しくは、複数の蛍光色素や蛍光蛋白で標識された標本を複数の励起波長を用いて励起し、各励起波長に対応して発生する複数の蛍光を検出するものに関する。
【０００２】
【従来の技術】
従来、異なる蛍光色素により多重染色された標本を複数の励起波長で励起し、これら励起波長に対応して発生する複数の蛍光を同時に検出するものとして、レーザー走査型顕微鏡が用いられている。
【０００３】
このようなレーザー走査型顕微鏡は、複数の光検出器が用意されていて、これら検出器を多重染色された標本を励起する複数の励起波長（チャンネル）ごとに使い分け、１検出器＝１チャンネル、つまり検出器とチャンネルとを１対１で対応させることで、複数チャンネルの画像データを取得できるようにしている。
【０００４】
例えば、特開２０００−３５４００号公報では、４個の光検出器を具備しており、これら光検出器により４チャンネルの画像データを取得可能にしたシステム構成が開示されている。
【０００５】
一方、最近になって、低コスト化を狙った励起波長ごとのチャンネル数に対して光検出器の数を少なく構成したレーザー走査型顕微鏡や標本の詳細な分光特性を検出することを目的としたようなレーザー走査型顕微鏡では、検出器の個数以上の複数の波長検出を行うために、一つの検出器を複数の波長検出用として使用することで対応するようなものが用いられるようになっている。
【０００６】
【発明が解決しようとする課題】
ところが、このように構成したレーザー走査型顕微鏡では、検出する波長毎に、検出器の前に配置された分光フィルタ(ダイクロイックミラー)やバリアフィルタなどを適切な設定になるように切り換える必要があり、また、検出する対象毎に得られる蛍光強度が異なるため、検出器の感度調整も、それぞれの蛍光強度に合った設定とする必要がある。
【０００７】
このため、従来では、まず、多重染色標本のうち一部の波長検出に着目し、その検出のためのフィルタの設定と検出器の感度調整を行って、画像を取得し、次に、多重染色標本の残りの波長検出のためのフィルタ設定と検出器の感度調整を行って画像を取得し、最後に、このようにして取得した２つの画像を後処理により結合するといった一連の動作が実行される。
【０００８】
さらに、このような一連の動作の実行に対して、各フィルタの切換えや検出器の感度の調整操作をプログラム上から実行できるようにするためのマクロプログラミングも提供されている。そして、このようなマクロプログラミングを使うことによって、ユーザーは自分の実験などに合わせて、予め、マクロコマンドを使ってプログラミングし、それを実行させることで、目的とする多重染色標本の観察などの複数波長の観察を行うようにしている。
【０００９】
しかし、このようにして別々に画像を取得し、その後、これら複数の画像を結合するには、手数がかかるとともに、非常に煩雑な作業を要する。また、それらの一連の操作を、マクロプログラミングで実行させる方法によっても、調整を実施したい機能に対応するマクロコマンドの選定や、各コマンドの記述方法、さらにはプログラミングに対する知識などを必要とするため、観察に要する一連の操作を、プログラミングによって準備することも容易なことでない。
【００１０】
本発明は、上記事情に鑑みてなされたもので、複数波長の観察を簡単に行うことができるレーザー走査型顕微鏡システム、システム制御方法およびシステム制御をコンピュータに実行させる制御プログラムを提供することを目的とする。
【００１１】
【課題を解決するための手段】
請求項１記載の発明は、標本に対してレーザ光を走査して標本から得られる観察光を光検出器で検出し、この光検出器からの出力信号に基づいて２次元画像を形成するレーザ走査型顕微鏡において、前記標本へ照射するレーザ光の波長及び前記光検出器で検出する観察光の波長を含み、前記レーザ光の波長と前記光検出器で検出する観察光の波長の少なくとも一方が異なっている走査条件を、同一の光検出器に対して互いに異なる複数の走査条件として入力するための入力画面を表示する手段と、この入力画面を用いて入力された前記複数の走査条件を一つずつ順次設定してそのたびに走査を行なう制御手段と、個々の走査条件において得られた前記同一の光検出器からのデータを各走査条件に対応する互いに独立した複数の画像として形成する画像形成手段とを有することを特徴としている。
【００１２】
請求項２記載の発明は、請求項１記載の発明において、前記走査条件は、前記光検出器における検出動作の設定条件を含むことを特徴としている。
【００１４】
請求項３記載の発明は、請求項２記載の発明において、前記検出動作の設定条件は、前記光検出器の感度の設定であることを特徴としている。
請求項４記載の発明は、請求項１乃至３のいずれかに記載の発明において、前記入力画面は、前記走査条件として照射するレーザ光の波長及び検出する観察光の波長を決定する光学素子の切換状態を入力可能であることを特徴としている。
請求項５記載の発明は、請求項１乃至４のいずれかに記載の発明において、前記光検出器を複数個有することを特徴としている。
請求項６記載の発明は、請求項１乃至５のいずれかに記載の発明において、前記入力画面から入力される走査条件は、前記光検出器の数以上設定可能としたことを特徴としている。
請求項７記載の発明は、請求項１乃至６のいずれかに記載の発明において、蛍光試薬名に対応して前記走査条件を記憶した記憶手段をさらに備え、前記入力画面において使用する蛍光試薬を入力すると、前記制御手段は、入力された蛍光試薬に対応する走査条件を前記記憶手段から読み出して設定することを特徴としている。
【００１５】
請求項８記載の発明は、標本に対してレーザ光を走査して標本から得られる観察光を光検出器で検出し、この光検出器からの出力信号に基づいて２次元画像を形成するレーザ走査型顕微鏡システムの制御方法であって、前記標本へ照射するレーザ光の波長及び前記光検出器で検出する観察光の波長を含み、前記レーザ光の波長と前記光検出器で検出する観察光の波長の少なくとも一方が異なっている走査条件を、同一の光検出器に対して互いに異なる複数の走査条件として入力するための入力画面を表示するとともに、この入力画面を用いて入力された前記複数の走査条件を一つずつ順次設定してそのたびに走査を行い、個々の走査条件において得られた前記同一の光検出器からのデータを各走査条件に対応する互いに独立した複数の画像として形成することを特徴としている。
【００１６】
請求項９記載の発明は、標本に対してレーザ光を走査して標本から得られる観察光を光検出器で検出し、この光検出器からの出力信号に基づいて２次元画像を形成するレーザ走査型顕微鏡システムの制御をコンピュータに実行させる制御プログラムであって、前記標本へ照射するレーザ光の波長及び前記光検出器で検出する観察光の波長を含み、前記レーザ光の波長と前記光検出器で検出する観察光の波長の少なくとも一方が異なっている走査条件を、同一の光検出器に対して互いに異なる複数の走査条件として入力するための入力画面を表示させるとともに、この入力画面を用いて入力された前記複数の走査条件を一つずつ順次設定してそのたびに走査を行わせ、個々の走査条件において得られた前記同一の光検出器からのデータを各走査条件に対応する互いに独立した複数の画像として形成することを特徴としている。
【００１７】
本発明によれば、画像取得のための走査に必要な条件を予め用意されている入力画面上で設定することにより、実際の光検出器の数から制限されない複数の画像取得のための条件を設定することができ、簡単に、短い準備時間で、目的とする多重染色標本の観察を行うことができる。
【００１８】
また、本発明によれば、複数の光検出器に対しても、複数の設定条件に基づいた走査を実行させ、それぞれの走査によって得られた別々のチャンネルデータを１つの画像として取得することができる。
【００１９】
さらに、本発明によれば、波長検出毎に独立した調整の設定が可能となるとともに、あたかも、検出する各波長毎に検出器が用意されているかのように見せることができる。
【００２０】
【発明の実施の形態】
以下、本発明の実施の形態を図面に従い説明する。
【００２１】
（第１の実施の形態）
図１は、本発明の第１の実施の形態に係るレーザー走査型顕微鏡のシステム構成を示すものである。
【００２２】
この場合、本第１の実施の形態に係るレーザー走査型顕微鏡システムは、レーザー走査型顕微鏡本体１００とコンピュータシステム２００により構成されている。
【００２３】
レーザー走査型顕微鏡本体１００は、コントロールユニット１０１を有しており、このコントロールユニット１０１は、コンピュータシステム２００からの走査指示の指令が入力されると、走査制御信号を走査ユニット１０２に出力する。また、コントロールユニット１０１には、レーザ光源１０３、１０４、１０５に接続されており、これらレーザ光源１０３、１０４、１０５から走査に使用するレーザーを選択する。この場合、レーザ光源１０３には、Ａｒレーザ、レーザ光源１０４には、ＨｅＮｅ−Ｇｒｅｅｎレーザおよびレーザ光源１０５には、ＨｅＮｅ−Ｒｅｄレーザがそれぞれ用いられている。
【００２４】
コントロールユニット１０１によって選択されレーザ光源１０３、１０４、１０５から出射されたレーザ光は、合成用ダイクロイックミラー１０６、１０７、ミラー１０８によって集光され、ミラー１０９を介して走査ユニット１０２に入力される。
【００２５】
走査ユニット１０２は、図示しないＸ走査ガルバノミラーとＹ走査ガルバノミラーを有するもので、コントロールユニット１０１からの走査制御信号に基づいて、これらＸ走査ガルバノミラーとＹ走査ガルバノミラーを駆動し、ミラー１０９を介して入力されるレーザ光を対物レンズ１１０を通してステージ１１１上に載置された標本Ｓ上にスポット光としてＸＹ走査する。
【００２６】
標本Ｓ上をＸＹ走査されるスポット光によって、標本Ｓから発生した蛍光もしく反射光は、入射した光路を逆に戻る。このうち、蛍光成分は、分光フィルタ１１２により反射され、分光フィルタ１１３に入力される。
【００２７】
分光フィルタ１１３は、蛍光成分について長波長と短波長とに波長選択するもので、それぞれの波長の蛍光は、バリアフィルタ１１５に入力されるとともに、ミラー１１４を介してバリアフィルタ１１６に入力され、これらバリアフィルタ１１５、１１６で、さらに波長選択されて、２つの光検出器１１７、１１８に入力される。
【００２８】
そして、光検出器１１７、１１８で電気信号に変換され、コントロールユニット１０１に入力される。
【００２９】
ここで、分光フィルタ１１３、バリアフィルタ１１５、１１６は、各種特性のものが、例えば、回転ターレットに搭載されていて、コントロールユニット１０１からの指示により、ターレットが回転することで、光路上で選択的に切換えられるようになっている。
【００３０】
コントロールユニット１０１は、光検出器１１７、１１８からの電気信号を標本Ｓの画像情報(画像データ)として、接続インターフェース１１９を介してコンピュータシステム２００に転送する。
【００３１】
コンピュータシステム２００は、ＣＰＵ２０１、記憶媒体２０２、モニタ２０３、キーボード２０４およびマウス２０５を有するもので、モニタ２０３上に、蛍光試薬による画像を取得するための走査条件の入力を行うためのＧＵＩ（Ｇｒａｐｈｉｃａｌ  Ｕｓｅｒ  Ｉｎｔｅｒｆａｃｅ）画面を表示する機能を有するとともに、コントロールユニット１０１を介して入力される光検出器１１７、１１８からデータを各走査条件に対応する複数の画像として形成する画像形成機能を有し、さらに、これらの画像情報を記憶媒体２０２に転送するとともに、モニタ２０３に画像表示するようになっている。
【００３２】
この場合、記憶媒体２０２は、画像情報を記憶するメモリ部の他に、走査ユニット１０２での走査に必要な条件を記憶するメモリ部を有している。
【００３３】
次に、このように構成されたレーザー走査型顕微鏡システムについて、３重染色(蛍光色素：ＦＩＴＣ、ＰＩ、Ｃｙ５)された標本Ｓの画像を取得する場合を例にとって説明する。
【００３４】
観察者は、まず、コンピュータシステム２００より、ＦＩＴＣとＰＩの蛍光試薬による画像を取得するための走査条件の入力を行う。具体的には、コンピュータシステム２００のモニタ２０３上の図２に示すようなＧＵＩ画面を用いて、走査条件を入力する。
【００３５】
この場合、最初に設定するグループ番号を１番（グループＮｏ１）として、照射するレーザ光の波長および検出する観察光の波長を決定する光学素子として実際に使用する各種フィルタの種類をそれぞれの設定部位に入力する。ここでは、分光フィルタ１１２にＤＭ４８８／５４３／６３３、分光フィルタ１１３にＳＤＭ５６０、バリアフィルタ１１５、１１６にＢＡ５０５−５２５、ＢＡ５６０をそれぞれ入力している。
【００３６】
同様にして図２に示すＧＵＩ画面を用いて、ＦＩＴＣとＰＩを励起するのに実際に用いられるレーザ光源の種類を、それぞれの設定部位に入力する。ここでは、レーザ光源１０３にＡｒレーザ、レーザ光源１０４にＨｅＮｅ−Ｇｒｅｅｎレーザを入力している。
【００３７】
この場合、光検出器１１７により、ＦＩＴＣをチャンネルＣＨ１として検出し、光検出器１１８により、ＰＩをチャンネルＣＨ２として検出するようになっている。
【００３８】
次に、図３に示すＧＵＩ画面を用いて、光検出器１１７、１１８における検出動作のための設定条件として、これら光検出器１１７、１１８の感度設定を行う。ここでは、光検出器１１７については、図中Ａに示すように、チャンネルＣＨ１に対応するＦＩＴＣを入力するとともに、感度設定値としてハイボルト（ＰＭＴ）、ゲイン（Ｇａｉｎ）、オフセット（ｏｆｆｓｅｔ）のそれぞれの数値を入力する。同様にして、光検出器１１８についても、図中Ｂに示すように、チャンネルＣＨ２に対応するＰＩを入力するとともに、感度設定値としてハイボルト（ＰＭＴ）、ゲイン（Ｇａｉｎ）、オフセット（ｏｆｆｓｅｔ）のそれぞれの数値を入力する。
【００３９】
これらの入力情報は、グループＮｏ１の走査条件として、コンピュータシステム２００の記憶媒体２０２に記憶される。
【００４０】
次に、Ｃｙ５の蛍光試薬による画像を取得するための走査条件の入力を行う。この場合も、コンピュータシステム２００のモニタ２０３上の図４に示すようなＧＵＩ画面を用いて、グループ番号を２番（グルーブＮｏ２）として、照射するレーザ光の波長および検出する観察光の波長を決定する光学素子として実際に使用する各種フィルタの種類をそれぞれの設定部位に入力する。ここでは、分光フィルタ１１２にＤＭ４８８／５４３／６３３、分光フィルタ１１３にＧｌａｓｓ、バリアフィルタ１１６にＢＡ６６０をそれぞれ入力している。
【００４１】
同様にして図４に示すＧＵＩ画面を用いて、Ｃｙ５を励起するために用いられるレーザ光源の種類を設定部位に入力する。ここでは、レーザ光源１０５にＨｅＮｅ−Ｒｅｄレーザを入力している。
【００４２】
また、この場合、光検出器１１８により、Ｃｙ５をチャンネルＣＨ３として検出するようになっている。
【００４３】
次に、図３に示すＧＵＩ画面を用いて、光検出器１１８における検出動作のための設定条件として、これら光検出器１１８の感度設定を行う。ここでは、光検出器１１８について、図中Ｃに示すようにチャンネルＣＨ３に対応するＣｙ５を入力するとともに、感度設定値としてハイボルト（ＰＭＴ）、ゲイン（Ｇａｉｎ）、オフセット（ｏｆｆｓｅｔ）のそれぞれの数値を入力する。
【００４４】
これらの入力情報も、グループＮｏ２の走査条件として、コンピュータシステム２００の記憶媒体２０２に記憶される。
【００４５】
次に、グループごとの走査条件の入力が終了した状態から、観察者が、走査開始を指示すると、コンピュータシステム２００は、記憶媒体２０２に記憶されているグルーブＮｏ１の走査条件を読み出し、コントロールユニット１０１に対し、分光フィルタ１１２、分光フィルタ１１３、バリアフィルタ１１５、１１６の情報、レーザ光源１０３、１０４の種類とともに、光検出器１１７および１１８の感度設定値をセットする。
【００４６】
そして、これら情報のセットが完了したところで、コンピュータシステム２００は、コントロールユニット１０１に走査開始指示を送る。
【００４７】
この状態で、レーザ光源１０３、１０４から出射されたレーザ光は、合成用ダイクロイックミラー１０６、１０７により合成され、ミラー１０９を介して走査ユニット１０２に入力され、コントロールユニット１０１からの走査制御信号に基づいて、対物レンズ１１０を通してステージ１１１上の標本Ｓにスポット光としてＸＹ走査される。また、標本Ｓ上をＸＹ走査されるスポット光によって、標本Ｓから発生した蛍光は、入射した光路を逆に戻り、蛍光成分は、分光フィルタ１１２により反射され、分光フィルタ１１３に入力され、バリアフィルタ１１５、１１６で、波長選択されて、光検出器１１７、１１８に入力され、これら光検出器１１７、１１８で電気信号に変換され、コントロールユニット１０１に送られる。コントロールユニット１０１は、光検出器１１７からの電気信号をチャンネルＣＨ１の画像情報に変換し、また、光検出器１１８からの電気信号をチャンネルＣＨ２の画像情報に変換し、接続インターフェース１１９を介してコンピュータシステム２００に転送する。コンピュータシステム２００では、画像形成機能により走査条件に対応する複数画像として生成し、記憶媒体２０２に記憶する。
【００４８】
次に、コンピュータシステム２００は、記憶媒体２０２に記憶されているグルーブＮｏ２の走査条件を読み出し、コントロールユニット１０１に対し、分光フィルタ１１２、分光フィルタ１１３、バリアフィルタ１１６の情報、レーザ光源１０５の情報とともに、光検出器１１８の感度設定値をセットする。
【００４９】
そして、これら情報のセットが完了したところで、コンピュータシステム２００は、コントロールユニット１０１に走査開始指示を送り、上述したと同様な動作により光検出器１１８からの電気信号をチャンネルＣＨ３の画像情報として、接続インターフェース１１９を介して取り込み、画像形成機能により走査条件に対応する画像として生成し、記憶媒体２０２に記憶する。この場合、記憶媒体２０２は、グルーブＮｏ１の走査条件により取得した画像情報と異なる領域に記憶する。
【００５０】
このようにして各チャンネルごとの複数の画像（ここでは、チャンネルＣＨ１：ＦＩＴＣ、チャンネルＣＨ２：ＰＩ、チャンネルＣＨ３：Ｃｙ５）は、一度の走査で取得した画像のような１つの画像データとして取得される。
【００５１】
なお、標本Ｓに対して動態観察を行うような場合、ステージ１１１のＺ方向の位置をずらしながら、各Ｚ位置での画像を取得する必要があるが、このような場合は、上述したグループＮｏ１とグループＮｏ２とでの画像取得を、各Ｚ位置に対して繰り返して行えばよいことになる。
【００５２】
また、標本Ｓに対して時間経過観察を行うような場合にも同様で、所定時間経過毎に、グループＮｏ１とグルーブＮｏ２とでの画像取得を繰り返して行えばよい。
【００５３】
従って、このようにすれば、蛍光試薬による画像取得のための走査に必要な条件として、波長検出に必要となるレーザ光源１０３、１０４、１０５の選択、分光フィルタ１１２、１１３、バリアフィルタ１１５、１１６の各種フィルタの組み合わせ、および光検出器１１７、１１８の検出感度の設定を、予め用意されているＧＵＩ画面上で入力することにより、実際の光検出器１１７、１１８の数からは制限されない複数チャンネルの画像取得のための条件を設定することができるので、実験者は、最終的に求める画像取得までの煩雑な操作や、複雑なマクロコマンドの使用およびプログラミングの実行などを一切することなく、単に各波長検出のための条件を設定しておくだけで、簡単に、短い準備時間で、光検出器の数を超える目的とする多重染色標本の観察などの複数波長観察を行うことができる。
【００５４】
また、各走査に必要な設定をＧＵＩ画面上で容易に確認することができるので、設定ミスなどを未然に防止することができる。
【００５５】
さらに、最小限の光検出器のみで構成されたシステムで、多重染色標本に対する複数波長の画像観察が可能となるので、より低価格なシステムを実現することができる。
【００５６】
（第２の実施の形態）
次に、本発明の第２の実施の形態を説明する。
【００５７】
この場合、第２の実施の形態に係るレーザー走査型顕微鏡のシステム構成は、上述した図１と同様なので、同図を援用するものとする。
【００５８】
ところで、第１の実施の形態では、観察者が、まず３重染色標本の中の各波長検出をグループ分けするとともに、観察に使用する蛍光試薬に応じて、励起するために実際に用いられるレーザ光源および検出する観察光の波長を決定する光学素子として実際に使用する各種フィルタの各グループごとの設定を個別に手作業で実行するようにしている。例えば、ＦＩＴＣとＰＩを観察する場合は、グループＮｏ１として、分光フィルタ１１２にＤＭ４８８／５４３／６３３、分光フィルタ１１３にＳＤＭ５６０、バリアフィルタ１１５、１１６にＢＡ５０５−５２５、ＢＡ５６０を使用して、チャンネルＣＨ１でＦＩＴＣの画像情報、チャンネルＣＨ２でＰＩの画像情報を取得し、また、Ｃｙ５を観察する場合は、グループＮｏ２として、分光フィルタ１１２にＤＭ４８８／５４３／６３３、分光フィルタ１１３にＧｌａｓｓ、バリアフィルタ１１６にＢＡ６６０を使用してチャンネルＣＨ３でＣｙ５の画像情報を取得するようにしている。
【００５９】
そこで、第２の実施の形態では、これらの蛍光試薬に対する各グループごとのレーザ光源と各種フィルタの組み合わせを、テーブルデータやデータベースファイルとしてコンピュータシステム２００の記憶媒体２０２に記憶しておくものとする。
【００６０】
これにより、観察者が、ＦＩＴＣ、ＰＩ、Ｃｙ５といった観察対象となる試薬名を選択すると、コンピュータシステム２００は、記憶媒体２０２の記憶内容に基づいて、ＦＩＴＣとＰＩの観察をグループＮｏ１として、それらに対して記憶しているフィルタセットを自動的に設定するとともに、残りのＣｙ５の観察についてもグループＮｏ２として、それらに対して記憶しているフィルタセットを自動的に設定する。
【００６１】
この状態から、各グループに対して光検出器１１７、１１８の感度設定を行った後、走査開始を指示すれば、第１の実施の形態で述べたと同様にして、チャンネルＣＨ１でＦＩＴＣの画像情報、チャンネルＣＨ２でＰＩの画像情報、チャンネルＣＨ３でＣｙ５の画像情報をそれぞれ取得することができる。
【００６２】
従って、このようにすれば、観察者は、単に、観察する試薬名を設定し、各々の光検出器の感度設定を行うことのみで、それぞれの試薬の画像情報を取得できるので、さらに簡単に、短い準備時間で、目的とする多重染色標本の観察を行うことができる。
【００６３】
なお、上述した実施の形態では、光検出器を２個使用した場合を述べたが、光検出器の数は、２個に限定されるものではなく、少なくとも１個以上であればよい。
【００６４】
その他、本発明は、上記実施の形態に限定されるものでなく、実施段階では、その要旨を変更しない範囲で種々変形することが可能である。
【００６５】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００６６】
【発明の効果】
以上述べたように本発明によれば、目的とする多重染色標本の観察などの複数波長観察を簡単に行うことができるレーザー走査型顕微鏡システム、システム制御方法およびシステム制御をコンピュータに実行させる制御プログラムを提供できる。
【図面の簡単な説明】
【図１】本発明の第１の実施の形態に係るレーザー走査型顕微鏡のシステム構成を示す図。
【図２】第１の実施の形態に用いられるＧＵＩ画面の表示例を示す図。
【図３】第１の実施の形態に用いられるＧＵＩ画面の表示例を示す図。
【図４】第１の実施の形態に用いられるＧＵＩ画面の表示例を示す図。
【符号の説明】
１００…レーザー走査型顕微鏡本体
１０１…コントロールユニット
１０２…走査ユニット
１０３、１０４、１０５…レーザ光源
１０６．１０７…合成用ダイクロイックミラー
１０８、１０９…ミラー
１１０…対物レンズ
１１１…ステージ
１１２、１１３…分光フィルタ
１１４…ミラー
１１５、１６…バリアフィルタ
１１７、１１８…光検出器
１１９…接続インターフェース
２００…コンピュータシステム
２０１…ＣＰＵ
２０２…記憶媒体
２０３…モニタ
２０４…キーボード
２０５…マウス
【図１】
0004156856.tif 000002
【図２】
0004156856.tif 000003
【図３】
0004156856.tif 000004
【図４】
0004156856.tif 000005